(57)【要約】      （修正有）【課題】比較的小型軽量で使いやすく安全性や作業能率が良く、しかも省エネルギー型の充電式チェーンソーの実用化を図る。これにより、簡便に木に登っての枝打ちや、地上での電源コードなしの木材等の小物切りなどができるようにし、チェーンソーの強靭性、耐久性のさらなる増大を図り、エンジン付枝打ち機にこの充電式チェーンソーを搭載し、省エネと重量及び排気ガス問題も解決する。【解決手段】省力、省エネルギーを図るために、切断部の主体に小さい歯の鋸歯小部品を２列にしてチェーン状にして使い、カッター歯は補助的な使用とする。これにより、食い込み、切れ味、耐久性が共に良い省エネ型チェーンソーができあがる。【選択図】図１
0003120257.tif 000002
【実用新案登録請求の範囲】
【請求項１】
小さい歯の鋸歯小部品を、ガイドバーが通過できる切断幅を作るために２列にして繋いだチェーンソー
【考案の詳細な説明】
【技術分野】
【０００１】  本考案は、木材等切断用のチェインソーに関するものである。
【背景技術】
【０００２】  植林の枝打ちは、大部分を作業能率が抜群に良く、木の高いところでも楽々と仕事ができるのでラジオコントローラー（以下ラジコンと言う。）付き枝打ち機を使っている人が多い。しかし、桧の場合枝が細い品種でも、６〜１２メートルの枝打ちで樹木約２０本に混合油約３リットルを要し、チェーンソーオイルの消費量も非常に多い。また、高価であり、重量が約３０キログラムもあって高い山への運搬や急斜面での移動が困難である。また幹が少し曲がっているときや枝の付け根のふくらみが大きいとき、そこに大きな切り口傷をつけるという欠点がある。これらの事情からラジコン枝打ち機を嫌う人も少なくない。【０００３】  ラジコン枝打ち機を嫌う人は全般的に、そうでない人は高い山での枝打ちや大径木の枝打ちのとき、百足（むかで）形梯子（以下百足梯子と言う。）か、又は「椅子と足乗せにそれぞれワイヤーの輪をつけ、それらを組にした」登降機（以下尺取虫登降機と言う。）に、手鋸はパイプソーを使っている。この鋸は、硬質塩化ビニール管等の切断用の鋸で、食い込みと切れ味及び耐久性が共に良いので、近隣の森林組合員はほとんど全員これを使っている。さらに枝打ちのほかに木の板や棒及び竹の切断にも使っている。山林作業用の手鋸は各種いろいろとあるが、パイプソー一本ですましている人が多い。この枝打ちでは、手仕事なので丁寧な仕事ができるが能率はやや劣る。また、枝の付け根が幹に向かってお椀をかぶせたように少しふくらんでいるが、正しくはその中央部位を枝に垂直に切るべきところを、実態は、仕事がずいぶん楽なので先端部を切る人が多い。なを、百足梯子での作業は、高さ６メートル以上は困難である。【０００４】  前項の枝打ちのとき、パイプソーが少しの力で良く切れると言っても、大量の枝打ちや、太い枝の枝打ちでは疲労度が大きい。そこで、両手が使えるので「尺取虫登降機」と、充電式チェーンソーを併用してみた。このチェーンソーは、従来型の切断部がカッター歯で、歯に間隔があるために桧の場合切断時に「ばたばた」するし、エネルギー消費が多く樹木３〜５本でバッテリー（１２Ｖ、３．０ＡＨ）の電力が無くなる。【０００５】  以前、背中に小型エンジンを背負い小さな円盤型の鋸の回転での枝打ち機を使ったことがあるが、使いにくいしあまり消費エネルギー節約型（以下省エネ型と言う。）でもないようだ。また、背中に小型エンジンを背負って使用できるチェーンソーがあるが、両者ともに地面から手の届く範囲の作業用で、木に登っての作業にはとても重くて危険で使えない。
【考案の開示】
【考案が解決しようとする課題】
【０００６】  現在実用されている林業用チェインソーは私の知る限りにおいては、総て切断部がカッター歯型なので、エネルギー消費が比較的多く、ほとんどは混合油エンジン付である。このために、木に登っての枝打ち用としては、重さや危険性及び排気ガスなどの各種の難点を持っている。
そこで、本考案によるチェーンソーの装着により、比較的小型軽量で使いやすい、しかも省エネ型の充電式チェーンソーの実用化を図りたい。これにより、木に登っての丁寧で能率的かつ疲労感の少ない枝打ちや、地上での電源コードなしで簡便に木材等の小物切りなどができるようにしたい。また、本考案によるチェーンソーの強靭性、耐久性のさらなる増大を図り、混合油エンジン付き省エネ型チェーンソーを搭載した、燃料消費量の少ないラジコン枝打機を実現させたい。さらに、省エネ効果が十分出た場合は、混合油エンジンを充電式モーターに置き換えることもできよう。これが実現すれば、省エネと重量及び排気ガス問題も解決できる。
【課題を解決するための手段】
【０００７】  省力、省エネを図るために、切断部の主体に小さい歯の鋸歯小部品をチェーン状にして使い、ガイドバーが通過きる切断幅をつくるために、このチェーンを２列にする。２列の鋸歯間の切り残した部位はカッター歯で処理する。
【考案の効果】
【０００８】  本考案によるチェーンソーは、枝打ち等で食い込みと切れ味及び耐久性が良く、使いやすく丁寧な仕事ができる。また、十分省エネの目的が達成でき、充電式チェインソーが一回の充電で長時間、能率よく使用できる。当然のことながら排気ガスに悩まされることもなく、気持ちよく作業ができる。
【考案を実施するための最良の形態】
【００９】  省エネ型チェーンソーとしては小さい歯の鋸歯をチェーンにしたものが最良だが、ガイドバーを通過させる切断幅を作るために、鋸歯小部品を２列に並べる必要がある。大きい鋸歯をチェーンにする時は１列で、ガイドバーを通過させる切断幅を作れるが、この歯は桧の枝などへの食い込みが悪く、カッター歯と同じで省エネ型とは言えない。【０１０】  さらに、省エネ型とするためには、この小さい歯の鋸歯２列の横幅はなるべく狭い方が良いが、チェーン、ドライブリンク、ガイドバー及び動力伝達歯車の強靭性や耐久性との兼ね合いを調整する必要がある。そのうえで、その厚さに合った専用ガイドバーを作成する。
【実施例】
【０１１】  以下、添付図に従って一実施例を説明する。１は２列２枚の小さい鋸歯部品を図２の２、又は３と４、又は３と５でそれぞれ溶接接合した小部品である。【０１２】  ２は鋸屑排出板、３はデプスゲージ兼鋸屑排出板である。４と５はそれぞれ右カッターと左カッター部品である。【０１３】  ６はドライブリンクであり、７はリベットである。【０１４】  以上の各小部品を組み合わせてリベットで繋ぎチェーン状にしたものである。切断部の主体に小さい歯の鋸歯小部品を使い、カッター歯は補助的な使用となる。これにより、食い込み、切れ味、耐久性が共に良い省エネ型チェーンソーができあがる。
【産業上の利用可能性】
【０１５】  枝打ち作業のやり方はいろいろあるが、どれにも長所短所がある。充電型チェーンソーに本案のチェーンソーを着用すれば、これらの中で最良の作業方法が実現できる。この場合、木に登っての枝打ち作業では、排気ガスに悩まされず、仕事が丁寧にでき、しかも疲労度少なく能率的である。安全性にも問題はない。また、地上での作業では、電気コード無しで簡便に木材等の小物切りができる。
本考案によるチェーンソーの強靭性、耐久性のさらなる増大を図り、ラジコン付枝打ち機にこの充電式チェーンソーを搭載すれば省エネと重量及び排気ガス問題も解決できる。
【図面の簡単な説明】
【０１６】
【図１】  本考案になる省エネ型チェーンソーの一実施例の側面図である。
【図２】  図１の側面図に点線で示した各部品の見取り図である。
【図３】  図１の側面図で二つの鋸歯小部品の接触部位をＡＢ水平面で切断し、上方から見た断面図である。
【符号の説明】
【０１７】      １      小さい歯の鋸歯を２列に並べ２，３，４，５等の部品を介して溶接接合した小部品
２      鋸屑排出板
３      デプスゲージ兼鋸屑排出板
４      右カッター部品
５      左カッター部品
６      ドライブリンク
７      リベット
８      ２と３の頭部を丸くした部位
９      右カッター歯
１０    左カッター歯
【図１】
0003120257.tif 000003
【図２】
0003120257.tif 000004
【図３】
0003120257.tif 000005